(57)【要約】【課題】スピーカ配置に因る音響品質劣化を推定できる音響品質推定装置、方法及びプログラムを提供する。【解決手段】音響品質推定装置(101)は、複数の記憶位置それぞれから聴取位置までの頭部伝達関数(HRTF)を記憶位置毎に対応させて記憶する記憶部(113)と、複数のスピーカから出力される出力信号それぞれとスピーカの標準位置に対応するHRTFとに基づいて、標準位置に関する両耳聴変数値を算出し、出力信号それぞれとスピーカの実際位置に対応するHRTFとに基づいて、実際位置に関する両耳聴変数値を算出し、且つ標準位置に関する両耳聴変数値と実際位置に関する両耳聴変数値との差分に基づいて、音響品質推定値を算出する制御部(111)とを備え、制御部は、実際位置に一致する記憶位置が存在する場合、実際位置に対応するHRTFを記憶部から読み出すことにより、実際位置に関する両耳聴変数値を算出する。【選択図】図２
2014075753.tif 000002
【特許請求の範囲】
【請求項１】
複数の記憶位置それぞれから聴取位置までの頭部伝達関数を当該記憶位置毎に対応させて記憶する記憶部と、
複数のスピーカから出力される出力信号それぞれと当該スピーカの標準位置に対応する頭部伝達関数とに基づいて、前記標準位置に関する両耳聴変数値を算出し、
前記出力信号それぞれと前記スピーカの実際位置に対応する頭部伝達関数とに基づいて、前記実際位置に関する両耳聴変数値を算出し、且つ
前記標準位置に関する両耳聴変数値と前記実際位置に関する両耳聴変数値との差分に基づいて、音響品質の推定値を算出する
制御部と
を備える音響品質推定装置であって、
前記制御部は、前記実際位置に一致する前記記憶位置が存在する場合、当該実際位置に対応する頭部伝達関数を前記記憶部から読み出すことにより、前記実際位置に関する前記両耳聴変数値を算出する
音響品質推定装置。
【請求項２】
請求項１に記載の音響品質推定装置において、前記制御部は、
前記実際位置に一致する前記記憶位置が存在しない場合、当該実際位置に最も近い記憶位置に対応する頭部伝達関数を、前記実際位置に対応する頭部伝達関数と決定する
ことを特徴とする音響品質推定装置。
【請求項３】
請求項１に記載の音響品質推定装置において、前記制御部は、
前記実際位置に一致する前記記憶位置が存在しない場合、当該実際位置に最も近い少なくとも２つの記憶位置に対応する頭部伝達関数のデータ補間により、前記実際位置に対応する頭部伝達関数を決定する
ことを特徴とする音響品質推定装置。
【請求項４】
請求項２又は３に記載の音響品質推定装置において、前記制御部は、
前記実際位置から前記聴取位置までの距離が、前記頭部伝達関数の決定で用いられた前記記憶位置から前記聴取位置までの距離よりも長いほど、ゲインが小さくなるように、決定された前記頭部伝達関数を修正する
ことを特徴とする音響品質推定装置。
【請求項５】
請求項２乃至４のいずれか一項に記載の音響品質推定装置において、前記制御部は、
前記実際位置から前記聴取位置までの距離が、前記頭部伝達関数の決定で用いられた前記記憶位置から前記聴取位置までの距離よりも長いほど、位相が遅れるように、決定された前記頭部伝達関数を修正する
ことを特徴とする音響品質推定装置。
【請求項６】
請求項１乃至５のいずれか一項に記載の音響品質推定装置において、前記出力信号が、前記スピーカから出力される前に、音響信号に対して信号処理が行われた信号である場合、
前記制御部は、
前記出力信号を生成するために、前記音響信号に対して前記信号処理と同じ処理を行う
ことを特徴とする音響品質推定装置。
【請求項７】
請求項１乃至６のいずれか一項に記載の音響品質推定装置において、前記出力信号が、前記スピーカから出力される前に、音響信号に対してチャンネル変換処理が行われた信号である場合、
前記制御部は、
前記出力信号を生成するために、前記音響信号に対して前記チャンネル変換処理と同じ処理を行う
ことを特徴とする音響品質推定装置。
【請求項８】
音響品質推定装置における音響品質推定方法において、音響品質推定装置が、
複数の記憶位置それぞれから聴取位置までの頭部伝達関数を当該記憶位置毎に対応させて記憶部に記憶するステップと、
複数のスピーカから出力される出力信号それぞれと当該スピーカの標準位置に対応する頭部伝達関数とに基づいて、前記標準位置に関する両耳聴変数値を算出するステップと、
前記出力信号それぞれと前記スピーカの実際位置に対応する頭部伝達関数とに基づいて、前記実際位置に関する両耳聴変数値を算出するステップであって、前記実際位置に一致する前記記憶位置が存在する場合、当該実際位置に対応する頭部伝達関数を前記記憶部から読み出すことにより、前記実際位置に関する前記両耳聴変数値を算出するステップと、
前記標準位置に関する両耳聴変数値と前記実際位置に関する両耳聴変数値との差分に基づいて、音響品質の推定値を算出するステップと
を含む音響品質推定方法。
【請求項９】
音響品質推定装置を構成するコンピュータに、
複数の記憶位置それぞれから聴取位置までの頭部伝達関数を当該記憶位置毎に対応させて記憶部に記憶するステップと、
複数のスピーカから出力される出力信号それぞれと当該スピーカの標準位置に対応する頭部伝達関数とに基づいて、前記標準位置に関する両耳聴変数値を算出するステップと、
前記出力信号それぞれと前記スピーカの実際位置に対応する頭部伝達関数とに基づいて、前記実際位置に関する両耳聴変数値を算出するステップであって、前記実際位置に一致する前記記憶位置が存在する場合、当該実際位置に対応する頭部伝達関数を前記記憶部から読み出すことにより、前記実際位置に関する前記両耳聴変数値を算出するステップと、
前記標準位置に関する両耳聴変数値と前記実際位置に関する両耳聴変数値との差分に基づいて、音響品質の推定値を算出するステップと
を実行させるための音響品質推定プログラム。
【発明の詳細な説明】
【技術分野】
【０００１】
本発明は、音響品質推定装置、音響品質推定方法及び音響品質推定プログラムに関するものであり、特にマルチチャンネル音響再生システムの音響品質推定装置、音響品質推定方法及び音響品質推定プログラムに関するものである。
【背景技術】
【０００２】
マルチチャンネル音響方式として、例えば、５．１チャンネルサラウンド音響方式がある。５．１チャンネルサラウンド音響方式の音響再生システムには、サブウーファ以外に５個のスピーカが含まれている。そして、この５個のスピーカに関して、音響の立体感や臨場感を得る上で最適なスピーカ配置（標準配置）が、国際電気通信連合無線通信部門（ＩＴＵ−Ｒ：International Telecommunication Union Radiocommunications Sector）によって規定されている（例えば、非特許文献１参照）。スタジオでの番組制作は、この規定に則った標準配置で行われる。
【０００３】
また、５．１チャンネルサラウンド音響方式よりもさらに高い臨場感が実現できるものとして、３次元マルチチャンネル音響方式が提案されている。この３次元マルチチャンネル音響方式では、５.１チャンネル音響方式とは異なり、高さ方向にも多数のスピーカが配置される。３次元マルチチャンネル音響方式においても望ましいスピーカ配置（標準配置）が存在し、番組制作は５．１チャンネルサラウンド音響方式と同様に標準配置で行われる。
【０００４】
標準配置のスピーカから出力される音響信号（出力信号）は、オーディオ圧縮コーデックにより原信号に対して符号化・復号化処理された信号である。スピーカからの出力信号の音響品質（音質）は、符号化・復号化処理により、原信号に比べ劣化することになる。従来、この音響品質の劣化の度合いを推定する手法が提案されている（例えば、非特許文献２〜４参照）。このような手法の一つとして、ＰＥＡＱ（Perceived Evaluation of Audio Quality）が挙げられる。この手法は、原信号と符号化・復号化処理された信号とを比較し、音響品質に関係するモデル変数値を求め、これらの値からニューラルネットワークを用いて劣化度合いを評価するものである。
【先行技術文献】
【非特許文献】
【０００５】
【非特許文献１】ＩＴＵ−Ｒ勧告ＢＳ．７７５、“Multichannel stereophonic sound system with and without accompanying picture”
【非特許文献２】I. Choi, B. G. Shinn-cunningham, S. B. Chon, and K. -M. Sung, “Objective measurement of perceived auditory quality in multi-channel audio compression coding systems”, Journal of the Audio Engineering Society, vol. 56, pp. 3-17, 2008.
【非特許文献３】J. -H. Seo, I. Choi, S. B. Chon, K. -M. Sung, “An improved method for objective quality assessment of multichannel audio codecs”, IEICE Transactions on Fundamentals, vol. E94-A, pp. 1747-1752, No. 8 August 2011.
【非特許文献４】S. Kampf, J. Liebetrau, S. Schneider, T. Sporer, “Standardization of PEAQ-MC: Extension of ITU-R BS.1387-1 to Multichannel Audio”, 40th International Conference: Spatial Audio: Sense the Sound of Space, October 2010.
【発明の概要】
【発明が解決しようとする課題】
【０００６】
従来の音響品質推定手法は、オーディオ圧縮コーデックによる音響品質劣化を対象にするものであるが、音響品質が劣化する原因は、符号化・復号化処理だけではなく、例えば、スピーカ配置も音響品質に影響を及ぼす。標準配置が音響の立体感や臨場感を実現する上で最適なものであるため、スピーカの配置が標準配置ではないことによって生じる音響品質の変化は、劣化であると判断できる。
【０００７】
スタジオではスピーカが標準配置で設置されていても、スタジオに比べ場所的制限のある家庭内では、標準配置に則ってスピーカを設置できない場合が多い。再生チャンネル数の増加に伴い、標準配置にスピーカを設置することは益々困難になるため、スピーカ配置に因る音響品質劣化は問題となる。しかし、従来の手法は、スピーカ配置に因る音響品質劣化を推定できない。
【０００８】
従って、上記のような問題点に鑑みてなされた本発明の目的は、スピーカ配置に因る音響品質劣化を推定できる音響品質推定装置、音響品質推定方法及び音響品質推定プログラムを提供することにある。
【課題を解決するための手段】
【０００９】
上述した諸課題を解決すべく、本発明の第１の観点に係る音響品質推定装置は、
複数の記憶位置それぞれから聴取位置までの頭部伝達関数を当該記憶位置毎に対応させて記憶する記憶部と、
複数のスピーカから出力される出力信号それぞれと当該スピーカの標準位置に対応する頭部伝達関数とに基づいて、前記標準位置に関する両耳聴変数値を算出し、
前記出力信号それぞれと前記スピーカの実際位置に対応する頭部伝達関数とに基づいて、前記実際位置に関する両耳聴変数値を算出し、且つ
前記標準位置に関する両耳聴変数値と前記実際位置に関する両耳聴変数値との差分に基づいて、音響品質の推定値を算出する
制御部と
を備える音響品質推定装置であって、
前記制御部は、前記実際位置に一致する前記記憶位置が存在する場合、当該実際位置に対応する頭部伝達関数を前記記憶部から読み出すことにより、前記実際位置に関する前記両耳聴変数値を算出する
音響品質推定装置である。
【００１０】
また、第２の観点に係る音響品質推定装置は、第１の観点に係る音響品質推定装置において、前記制御部は、
前記実際位置に一致する前記記憶位置が存在しない場合、当該実際位置に最も近い記憶位置に対応する頭部伝達関数を、前記実際位置に対応する頭部伝達関数と決定する
ことを特徴とするものである。
【００１１】
また、第３の観点に係る音響品質推定装置は、第１の観点に係る音響品質推定装置において、前記制御部は、
前記実際位置に一致する前記記憶位置が存在しない場合、当該実際位置に最も近い少なくとも２つの記憶位置に対応する頭部伝達関数のデータ補間により、前記実際位置に対応する頭部伝達関数を決定する
ことを特徴とするものである。
【００１２】
また、第４の観点に係る音響品質推定装置は、第２又は第３の観点に係る音響品質推定装置において、前記制御部は、
前記実際位置から前記聴取位置までの距離が、前記頭部伝達関数の決定で用いられた前記記憶位置から前記聴取位置までの距離よりも長いほど、ゲインが小さくなるように、決定された前記頭部伝達関数を修正する
ことを特徴とするものである。
【００１３】
また、第５の観点に係る音響品質推定装置は、第２乃至第４のいずれか１つの観点に係る音響品質推定装置において、前記制御部は、
前記実際位置から前記聴取位置までの距離が、前記頭部伝達関数の決定で用いられた前記記憶位置から前記聴取位置までの距離よりも長いほど、位相が遅れるように、決定された前記頭部伝達関数を修正する
ことを特徴とするものである。
【００１４】
また、第６の観点に係る音響品質推定装置は、第１乃至第５のいずれか１つの観点に係る音響品質推定装置において、前記出力信号が、前記スピーカから出力される前に、音響信号に対して信号処理が行われた信号である場合、前記制御部は、前記出力信号を生成するために、前記音響信号に対して前記信号処理と同じ処理を行うことを特徴とするものである。
【００１５】
また、第７の観点に係る音響品質推定装置は、第１乃至第６のいずれか１つの観点に係る音響品質推定装置において、前記出力信号が、前記スピーカから出力される前に、音響信号に対してチャンネル変換処理が行われた信号である場合、前記制御部は、前記出力信号を生成するために、前記音響信号に対して前記チャンネル変換処理と同じ処理を行うことを特徴とするものである。
【００１６】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１７】
例えば、本発明を方法として実現させた第８の観点に係る音響品質推定方法は、音響品質推定装置が、
複数の記憶位置それぞれから聴取位置までの頭部伝達関数を当該記憶位置毎に対応させて記憶部に記憶するステップと、
複数のスピーカから出力される出力信号それぞれと当該スピーカの標準位置に対応する頭部伝達関数とに基づいて、前記標準位置に関する両耳聴変数値を算出するステップと、
前記出力信号それぞれと前記スピーカの実際位置に対応する頭部伝達関数とに基づいて、前記実際位置に関する両耳聴変数値を算出するステップであって、前記実際位置に一致する前記記憶位置が存在する場合、当該実際位置に対応する頭部伝達関数を前記記憶部から読み出すことにより、前記実際位置に関する前記両耳聴変数値を算出するステップと、
前記標準位置に関する両耳聴変数値と前記実際位置に関する両耳聴変数値との差分に基づいて、音響品質の推定値を算出するステップと
を含む音響品質推定方法である。
【００１８】
また、本発明をプログラムとして実現させた第９の観点に係る音響品質推定プログラムは、音響品質推定装置を構成するコンピュータに、
複数の記憶位置それぞれから聴取位置までの頭部伝達関数を当該記憶位置毎に対応させて記憶部に記憶するステップと、
複数のスピーカから出力される出力信号それぞれと当該スピーカの標準位置に対応する頭部伝達関数とに基づいて、前記標準位置に関する両耳聴変数値を算出するステップと、
前記出力信号それぞれと前記スピーカの実際位置に対応する頭部伝達関数とに基づいて、前記実際位置に関する両耳聴変数値を算出するステップであって、前記実際位置に一致する前記記憶位置が存在する場合、当該実際位置に対応する頭部伝達関数を前記記憶部から読み出すことにより、前記実際位置に関する前記両耳聴変数値を算出するステップと、
前記標準位置に関する両耳聴変数値と前記実際位置に関する両耳聴変数値との差分に基づいて、音響品質の推定値を算出するステップと
を実行させるための音響品質推定プログラムである。
【発明の効果】
【００１９】
上記のように構成された本発明に係る音響品質推定装置、音響品質推定方法及び音響品質推定プログラムによれば、スピーカ配置に因る音響品質劣化を推定できる。
【図面の簡単な説明】
【００２０】
【図１】図１は、本発明の一実施形態に係るマルチチャンネル音響再生システムの概略的な構成図である。
【図２】図２は、本発明の一実施形態に係る音響品質推定装置の概略構成を示す機能ブロック図である。
【図３】図３は、本発明の一実施形態に係る記憶位置と実際位置との関係を示す図である。
【図４】図４は、本発明の一実施形態に係る音響品質推定装置の処理を示すフローチャートである。
【図５】図５は、本発明の一実施形態に係るスピーカの標準位置を示す図である。
【図６】図６は、本発明の一実施形態に係るスピーカの実際位置を示す図である。
【図７】図７は、本発明の他の実施形態に係る信号処理を示す説明図である。
【図８】図８は、本発明の他の実施形態に係る音響品質推定装置を示す機能ブロック図である。
【図９】図９は、本発明の他の実施形態に係るチャンネル変換処理を示す説明図である。
【図１０】図１０は、本発明の他の実施形態に係る音響品質推定装置を示す機能ブロック図である。
【発明を実施するための形態】
【００２１】
以下、本発明の一実施形態に係る音響品質推定装置について、図面を参照して説明する。以下、本実施形態では、５．１チャンネル音響方式に適用される音響品質推定装置について説明するが、本発明はこの態様に限定されるものではない。本発明の音響品質推定装置を、例えば、７．１チャンネル音響方式や２２．２チャンネル音響方式等、二次元及び三次元を問わず任意のマルチチャンネル音響方式に適用できる。
【００２２】
図１は、本発明の一実施形態に係るマルチチャンネル音響再生システム１００の概略的な構成図である。マルチチャンネル音響再生システム１００は、音響品質推定装置１０１と、複数のスピーカ１０３（１０３−１〜１０３−５）とから構成されている。
【００２３】
スピーカ１０３は、チャンネル毎の音響信号をそれぞれ出力するものである。音響信号は、例えば、放送局で生成され、送信された信号そのものや、ブルーレイディスク（登録商標）やＤＶＤ等の記憶媒体に既に記憶されている信号そのものである。音響信号は、白色雑音や既知の参照信号等の任意の信号であり、チャンネル毎に同一でも、異なっていてもよい。そして、本実施形態では、スピーカ１０３から出力される信号（出力信号）は、放送局からの信号や記憶媒体からの信号といった音響信号に対して、任意の信号処理が、スピーカ１０３を含む再生装置によって行われたものではないものとする。つまり、本実施形態では、音響信号と出力信号とは同一である。
【００２４】
音響品質推定装置１０１は、スピーカ１０３から出力される出力信号（音響信号）から、当該スピーカ配置における音響品質（空間音響品質）を推定するものであり、例えばコンピュータである。位置１０５は、ユーザ１０７の聴取位置であり、右耳位置及び左耳位置の双方を規定するものである。
【００２５】
音響品質推定装置１０１は、既知の種々の方法によって、スピーカ１０３から出力される音響信号を取得することができる。例えば、音響品質推定装置１０１は、ブルーレイディスクやＤＶＤ等の記録媒体の読み取りが可能である場合、記録媒体に記憶された音響信号を読み取ることにより、スピーカ毎の音響信号を取得できる。また、音響品質推定装置１０１とスピーカ１０３（又はスピーカ１０３を含む再生装置）とが、通信ケーブルで接続されている場合、音響品質推定装置１０１は、スピーカ１０３（又は上記再生装置）から音響信号を受信することもできる。
【００２６】
図２は、本発明の一実施形態に係る音響品質推定装置１０１の概略構成を示す機能ブロック図である。本実施形態の音響品質推定装置１０１は、制御部１１１と記憶部１１３とを備えている。制御部１１１は、記憶部１１３と接続され、記憶部１１３の記憶内容を読み書きできる。
【００２７】
制御部１１１は、音響品質推定装置１０１の各機能ブロックを実現する処理内容を記述したプログラム（音響品質推定プログラム）を実行するものであり、例えば、ＣＰＵ（中央処理装置）やＤＳＰ（デジタルシグナルプロセッサ）等である。制御部１１１の詳細については後述する。
【００２８】
記憶部１１３は、音響品質推定装置１０１の各機能を実現する処理内容を記述したプログラムや頭部伝達関数（ＨＲＴＦ：Head-Related Transfer Function）等の各種情報を記憶するものであり、例えば、ＲＡＭ（Random Access Memory）等の揮発性の記憶媒体やＲＯＭ（Read Only Memory）等の不揮発性の記憶媒体等である。ＨＲＴＦは、ある位置のスピーカ１０３から再生された信号（出力信号）が聴取位置１０５におけるユーザ１０７の右耳及び左耳それぞれの鼓膜に到達するまでの信号伝達特性である。つまり、ある１つのスピーカ１０３の設置位置に対して、右耳に関するＨＲＴＦと左耳に関するＨＲＴＦの２つが存在する。記憶部１１３は、複数の位置（記憶位置と称する）それぞれに対応するＨＲＴＦを、記憶位置毎に対応させて記憶している。つまり、記憶部１１３は、記憶位置とＨＲＴＦとの関係性をデータベースとして記憶する。ＨＲＴＦは、従来既知の算出方法により求められるものである。
【００２９】
以下、複数の記憶位置には、国際電気通信連合無線通信部門に規定されているような音響の立体感や臨場感を得る上で最適な標準配置における各スピーカの位置（標準位置と称する）と、それ以外の位置とが含まれているとする。なお、本発明は、位置とＨＲＴＦとの関係が記憶部１１３に予め記憶されていることに限定されるものではない。例えば、音響品質推定装置１０１がキーボード等の入力部を備えている場合は、ユーザによる位置とＨＲＴＦとの関係の入力により、制御部１１１が、入力された当該関係を記憶部１１３に記憶させることができる。
【００３０】
制御部１１１は、ＨＲＴＦ決定部１２１と、両耳聴信号算出部１２３と、両耳聴変数値算出部１２５と、音響品質推定部１２７とを備えている。ＨＲＴＦ決定部１２１は、両耳聴信号算出部１２３に接続され、両耳聴信号算出部１２３は、両耳聴変数値算出部１２５に接続され、両耳聴変数値算出部１２５は、音響品質推定部１２７に接続されている。スピーカ１０３から出力される音響信号は、インタフェース（ハードウェアインタフェースやソフトウェアインタフェース等）を介して音響品質推定装置１０１の両耳聴信号算出部１２３に入力される。なお、音響信号が予め記憶部１１３に記憶されている場合は、両耳聴信号算出部１２３は、当該音響信号を記憶部１１３から読み出すこともできる。
【００３１】
ＨＲＴＦ決定部１２１は、標準位置に対応するＨＲＴＦ（右耳用と左耳用の双方のＨＲＴＦ）、及び家庭内等で実際にスピーカ１０３が配置されている位置（実際位置と称する）に対応するＨＲＴＦ（右耳用と左耳用の双方のＨＲＴＦ）を決定する。なお、実際位置の情報については、予め記憶部１１３に記憶されていたり、音響品質推定装置１０１がキーボード等の入力部を備えている場合は、ユーザにより入力されたりするものである。また、スピーカ１０３（又はスピーカ１０３を含む再生装置）が当該スピーカ１０３の位置を取得するＧＰＳ受信機等の位置取得部を備え、スピーカ１０３（又は上記再生装置）と音響品質推定装置１０１とが通信ケーブルで接続されている場合、音響品質推定装置１０１は、通信ケーブルを介して実際位置を取得することもできる。
【００３２】
スピーカ１０３が標準位置に位置していると仮定される場合、ＨＲＴＦ決定部１２１は、記憶位置の中から標準位置に一致するものを特定し、記憶部１１３から標準位置に対応するＨＲＴＦを読み出し、両耳聴信号算出部１２３に送る。
【００３３】
スピーカ１０３が実際位置に配置されている場合は、ＨＲＴＦ決定部１２１は、以下のようにして実際位置に対応するＨＲＴＦを決定する。実際位置が記憶位置のいずれかに一致する場合、記憶部１１３には記憶位置に対応するＨＲＴＦが記憶されているため、ＨＲＴＦ決定部１２１は、記憶部１１３から実際位置に対応するＨＲＴＦを読み出し、両耳聴信号算出部１２３に送る。なお、実際位置が記憶位置に一致するとは、位置座標が厳密に完全一致することに限定されるものではない。例えば、実際位置と記憶位置との差が予め定められた誤差範囲内であれば、ＨＲＴＦ決定部１２１は、実際位置と記憶位置とは一致するとみなすことができる。
【００３４】
実際位置と記憶位置とが一致しない場合、ＨＲＴＦ決定部１２１は、実際位置に対応するＨＲＴＦを求める。例えば、ＨＲＴＦ決定部１２１は、実際位置に最も近い記憶位置に対応するＨＲＴＦを実際位置に対応するＨＲＴＦと決定することができる。また、ＨＲＴＦ決定部１２１は、実際位置に最も近い少なくとも２つの記憶位置に対応するＨＲＴＦのデータ補間により、実際位置に対応するＨＲＴＦを決定することができる。例えば、図３のように、実際位置１３１に近い順に記憶位置１３３−１、１３３−２、１３３−３が存在するとする。実際位置１３１と記憶位置１３３−１との距離がｄ１で、実際位置１３１と記憶位置１３３−２との距離がｄ２（＞ｄ１）で、実際位置１３１と記憶位置１３３−３との距離がｄ３（＞ｄ２）であるとする。実際位置に近い記憶位置のＨＲＴＦほど、実際位置に対応するＨＲＴＦに近づくと考えられる。よって、ＨＲＴＦ決定部１２１は、実際位置に近い記憶位置のＨＲＴＦに大きな重みを付け、以下の式により、実際位置１３１に対応するＨＲＴＦを算出することができる。なお、ＨＲＴＦ１〜ＨＲＴＦ３は、記憶位置１３３−１〜１３３−３にそれぞれ対応するものである。なお、補間方法は、下記の式に限定されるものではなく、既知の補間方法（１次補間や多項式補間等）を適用することができる。
【数１】
2014075753.tif 000003
【００３５】
ＨＲＴＦ決定部１２１は、更に、決定したＨＲＴＦを実際位置に応じて修正し、修正されたＨＲＴＦを両耳聴信号算出部１２３に送ることができる。上記のようにして求められたＨＲＴＦは、実際位置が、聴取位置１０５を中心として記憶位置と同心円（球）上にある場合の伝達関数となる。そのため、実際位置から聴取位置１０５までの距離が、実際位置のＨＲＴＦの決定で用いられた記憶位置から聴取位置１０５までの距離より長いほど、スピーカ１０３から出力された音のレベル（強さ）の減衰は大きくなる。そこで、ＨＲＴＦ決定部１２１は、実際位置から聴取位置１０５までの距離が記憶位置から聴取位置１０５までの距離よりも長いほど、ＨＲＴＦのゲインが小さくなるように、決定したＨＲＴＦを修正する。具体的には、ＨＲＴＦ決定部１２１は、例えば、記憶位置から聴取位置１０５までの距離がｒであり、実際位置から聴取位置１０５までの距離がｒ１である場合、ＨＲＴＦに（ｒ／ｒ１）２を乗算する。この修正は、音のレベルの減衰が距離の二乗に比例することを利用するものである。
【００３６】
また、実際位置から聴取位置１０５までの距離が、実際位置のＨＲＴＦの決定で用いられた記憶位置から聴取位置１０５までの距離よりも長いほど、スピーカ１０３から出力された音の位相の遅れ（伝達遅れ）は大きくなる。そこで、ＨＲＴＦ決定部１２１は、実際位置から聴取位置１０５までの距離が記憶位置から聴取位置１０５までの距離よりも長いほど、ＨＲＴＦの位相が遅れるように、決定したＨＲＴＦを修正する。例えば、ＨＲＴＦ決定部１２１は、実際位置から聴取位置１０５までの距離と記憶位置から聴取位置１０５までの距離との差を音の速さ（例えば、３４０[m/s]）で除算することにより、伝達遅れを求めることがでる。音速は、気温に応じて適宜設定できる。頭部伝達関数が、インパルス応答関数のラプラス関数として表現されている場合、頭部伝達関数にむだ時間要素（ｅ-sT（T：伝達遅れ、s：ラプラス演算子））を乗算することにより、ＨＲＴＦを実際位置に応じて修正することができる。
【００３７】
両耳聴信号算出部１２３は、出力信号（音響信号）と、ＨＲＴＦ決定部１２１から送られてくるＨＲＴＦとに基づいて、両耳聴信号を算出する。具体的には、まず、両耳聴信号算出部１２３は、スピーカ毎の音響信号、つまりスピーカ数分の音響信号と、各スピーカの標準位置に対応する右耳用及び左耳用のＨＲＴＦ、つまりスピーカ毎に２つのＨＲＴＦとを受け取る。続いて、両耳聴信号算出部１２３は、スピーカ毎に、あるスピーカ１０３の音響信号と、当該スピーカ１０３に対応する右耳用及び左耳用それぞれのＨＲＴＦとを畳み込み、スピーカ別両耳聴信号（右耳用及び左耳用の２つの信号）を求める。そして、両耳聴信号算出部１２３は、スピーカ数分のスピーカ別両耳聴信号を片耳毎に加算して、両耳聴信号（右耳用及び左耳用の２つの信号）を算出する。両耳聴信号算出部１２３は、算出した両耳聴信号を両耳聴変数値算出部１２５に送る。両耳聴信号算出部１２３は、標準位置の場合と同様にして、実際位置に関する両耳聴信号を算出し、両耳聴変数値算出部１２５に送る。
【００３８】
両耳聴変数値算出部１２５は、標準位置及び実際位置それぞれに関する両耳聴信号から音響品質に関する両耳聴変数の値（両耳聴変数値）を算出する。音響品質に関する両耳聴変数値は、音像定位の空間知覚や広がり感知覚に関連した値で、例えば、両耳間時間差（ＩＴＤ：Interaural Time Difference）、両耳間レベル差（ＩＬＤ：Interaural Level Difference）、両耳間相互相関（ＩＡＣＣ：Interaural Cross Correlation）、両耳間エンベロープ時間差（ＥＩＴＤ：Envelope Interaural Time Difference）である。両耳聴信号から両耳聴変数値の算出は、既知の方法を適宜採用することにより実現できる。両耳聴変数値算出部１２５は、算出した両耳聴変数値を音響品質推定部１２７に送る。なお、両耳聴変数値算出部１２５は、スピーカ１０３の位置（標準位置及び実際位置）に対応させて両耳聴変数値を記憶部１１３に記憶させ、音響品質推定部１２７は、記憶部１１３から両耳聴変数値を読み出すこともできる。また、両耳聴変数値算出部１２５は、上述の全ての両耳聴変数値を求めることに限定されるものではなく、いずれか１つ以上の両耳聴変数値を求めることができる。
【００３９】
音響品質推定部１２７は、標準位置に関する両耳聴変数値と実際位置に関する両耳聴変数値とから、標準位置を基準としたときの実際位置における音響品質の推定値（音響品質推定値）を算出する。具体的には、まず、音響品質推定部１２７は、両耳聴変数毎に、標準位置に関する両耳聴変数値と実際位置に関する両耳聴変数値との差分（両耳聴変数歪み値）を求める。例えば、音響品質推定部１２７は、両耳聴変数歪み値として、両耳間時間差歪み値（ＩＴＤＤist：Distortion of Interaural Time Difference）、両耳間レベル差歪み値（ＩＬＤＤist：Distortion of Interaural Level Difference）、両耳間相互相関歪み値（ＩＡＣＣＤist：Distortion of Interaural Cross Correlation）、両耳間エンベロープ時間差歪み値（ＥＩＴＤＤist：Distortion of Envelope Interaural Time Difference）を算出する。そして、音響品質推定部１２７は、算出した両耳聴変数歪み値の全て又は一部を用いて音響品質推定値（ＥＳＡＱ：Estimated Spatial Audio Quality）を算出する。両耳聴変数歪み値から音響品質推定値の算出は、ＰＥＡＱ等の既知の方法を適宜採用することにより実現できる。両耳聴変数歪み値は、実際位置が標準位置に近いほど小さくなるため、音響品質推定部１２７は、例えば、両耳聴変数歪み値に基づいて求まる音響品質推定値が小さいほど、スピーカ位置に因る音響品質劣化は少ないと判断できる。なお、音響品質推定部１２７は、両耳聴変数の重要度に応じて、両耳聴変数歪み値に重み付けをすることができる。
【００４０】
続いて、図４を用いて、音響品質推定装置１０１の処理について説明する。図４は、本発明の一実施形態に係る音響品質推定装置１０１の処理を示すフローチャートである。
【００４１】
まず、音響品質推定装置１０１は、スピーカ１０３が図５に示されるような標準配置で設置されている場合の両耳聴変数値を求めることになる。図５（ａ）は、スピーカ配置の平面図である。図５（ａ）には、５．１チャンネルサラウンド音響方式で用いられる５個のスピーカ１０３−１（Center）、１０３−２（Right）、１０３−３（Left）、１０３−４（Surround Right）、１０３−５（Surround Left）が示されている。これらのスピーカ１０３−１〜１０３−５は、ＩＴＵ−Ｒ  ＢＳ．７７５の規定に則って配置されている。つまり、スピーカ１０３−１〜１０３−５は、聴取位置１０５に位置するユーザ１０７を中心とする同心円状に配置され、スピーカ１０３−２及び１０３−３は、スピーカ１０３−１を中心に左右に３０°ずれていて、スピーカ１０３−４及び１０３−５は、スピーカ１０３−１を中心に左右に１１０°ずれている。図５（ｂ）は、図５（ａ）の矢印ａ１の方向からスピーカ配置を捉えた図であり、高さ方向に関する側面図である。全てのスピーカ１０３−１〜１０３−５が、ユーザ１０７の耳と同じ高さ（ユーザ１０７の耳とスピーカ１０３−１〜１０３−５の位置とのずれが０°）に位置していることが分かる。
【００４２】
音響品質推定装置１０１のＨＲＴＦ決定部１２１は、スピーカ１０３−１〜１０３−５の標準位置と一致する記憶位置をデータベース上で特定し、当該記憶位置に対応するＨＲＴＦを読み出し、標準位置に対応するＨＲＴＦを決定する（ステップＳ１０１）。
【００４３】
続いて、両耳聴信号算出部１２３が、ＨＲＴＦ決定部１２１により決定されたＨＲＴＦと、スピーカ１０３から出力される音響信号とに基づいて、両耳聴信号を算出する（ステップＳ１０２）。
【００４４】
そして、両耳聴変数値算出部１２５は、両耳聴信号算出部１２３により算出された両耳聴信号から両耳聴変数値を算出し（ステップＳ１０３）、両耳聴変数値を記憶部１１３に記憶させる。
【００４５】
制御部１１１は、標準位置のスピーカ１０３から出力される出力信号（音響信号）と、標準位置に対応するＨＲＴＦとに基づいて、標準位置に関する両耳聴変数値を算出すると、実際位置に関する両耳聴変数値も既に算出されているかを判断する（ステップＳ１０４）。
【００４６】
標準位置及び実際位置の双方に関する両耳聴変数値が算出されていない場合（ステップＳ１０４のＮｏ）、制御部１１１は、ステップＳ１０１〜１０３の処理を繰り返すことになる。本実施形態では、標準位置に関する両耳聴変数値の算出後、実際位置に関する両耳聴変数値を算出することになる。
【００４７】
ここで、スピーカ１０３−１〜１０３〜５は実際には、図６のように配置されているとする。図６（ａ）は、スピーカ配置の平面図である。スピーカ１０３−１、１０３−４、１０３−５は、聴取位置１０５に位置するユーザ１０７を中心とする同心円状に配置され、スピーカ１０３−２及び１０３−３は、スピーカ１０３−１等よりもユーザ１０７から離れている。また、スピーカ１０３−２及び１０３−３は、スピーカ１０３−１を中心に左右に４５°ずれていて、スピーカ１０３−４及び１０３−５は、スピーカ１０３−１を中心に左右に１３５°ずれている。図６（ｂ）は、図６（ａ）の矢印ａ１の方向からスピーカ配置を捉えた図であり、高さ方向に関する側面図である。スピーカ１０３−２及び１０３−３は、標準位置と同じ高さに位置しているが、スピーカ１０３−１は、標準位置よりも低く位置し、スピーカ１０３−４及び１０３−５は、標準位置よりも高く位置している。つまり、全てのスピーカ１０３−１〜１０３−５の実際位置は、標準位置とは異なることになる。
【００４８】
まず、ＨＲＴＦ決定部１２１は、記憶部１１３に記憶されている記憶位置とＨＲＴＦとの対応関係を用いて、実際位置に対応するＨＲＴＦを決定する（ステップＳ１０１）。また、聴取位置１０５から実際位置までの距離と、聴取位置１０５から記憶位置までの距離とが異なる場合は、ＨＲＴＦ決定部１２１は、ＨＲＴＦのゲイン及び位相を修正し、実際位置に対応するＨＲＴＦを決定する（ステップＳ１０１）。
【００４９】
続いて、両耳聴信号算出部１２３が、ＨＲＴＦ決定部１２１により決定されたＨＲＴＦと、スピーカ１０３から出力される音響信号とに基づいて、両耳聴信号を算出する（ステップＳ１０２）。
【００５０】
そして、両耳聴変数値算出部１２５は、両耳聴信号算出部１２３により算出された両耳聴信号から両耳聴変数値を算出し（ステップＳ１０３）、両耳聴変数値を記憶部１１３に記憶させる。
【００５１】
出力信号（音響信号）と実際位置に対応するＨＲＴＦとに基づいて、実際位置に関する両耳聴変数値も算出されたので（ステップＳ１０４のＹｅｓ）、音響品質推定部１２７は、記憶部１１３から標準位置及び実際位置それぞれに関する両耳聴変数値を読み出す。そして、音響品質推定部１２７は、読み出した両耳聴変数値から両耳聴変数歪み値を算出し、両耳聴変数歪み値に基づいて音響品質推定値を算出する（ステップＳ１０５）。
【００５２】
このように本実施形態では、音響品質推定装置１０１の記憶部１１３は、複数の記憶位置それぞれから聴取位置１０５までのＨＲＴＦを当該記憶位置毎に対応させて記憶している。そして、制御部１１１は、実際位置に一致する記憶位置が存在する場合、当該実際位置に対応するＨＲＴＦを記憶部１１３から読み出し、実際位置に関する両耳聴変数値を算出する。その後、制御部１１１は、標準位置に関する両耳聴変数値と実際位置に関する両耳聴変数値との差分に基づいて、音響品質推定値を算出する。つまり、音響品質推定装置１０１は、複数の記憶位置と各位置に関するＨＲＴＦとの関係を予めデータベースとして記憶しておくことにより、スピーカ１０３が標準位置以外に設置された場合にも、実際位置に関する両耳聴変数値を算出できる。これにより、音響品質推定装置１０１は、両耳聴変数値が、スピーカ１０３が標準位置に設置されなかったことによって標準位置に比べてどれだけ変化したかを特定できる。実際位置が標準位置に近いほどこの変化は小さくなるため、両耳聴変数値の変化に基づく音響品質推定値から、スピーカ配置に因る音響品質の劣化度合いを推定できる。
【００５３】
また、本実施形態では、制御部１１１は、実際位置に一致する記憶位置が存在しない場合、当該実際位置に最も近い記憶位置に対応するＨＲＴＦを、実際位置に対応するＨＲＴＦと決定することができる。これにより、実際位置に一致する記憶位置が存在しない場合にも、制御部１１１は、実際位置に対応するＨＲＴＦを計算することなく、決定することができるので、音響品質推定装置１０１の計算負荷を抑えることができる。よって、音響品質推定装置１０１の処理効率を高めることができる。
【００５４】
また、本実施形態では、制御部１１１は、実際位置に一致する記憶位置が存在しない場合、当該実際位置に最も近い少なくとも２つの記憶位置に対応するＨＲＴＦのデータ補間により、実際位置に対応する頭部伝達関数を決定することができる。これにより、制御部１１１は、単にデータベース内のＨＲＴＦを１つ選択するよりも、実際位置に対応するＨＲＴＦを精度良く求めることができる。よって、音響品質の劣化度合いの推定精度も向上することになる。
【００５５】
また、本実施形態では、制御部１１１は、実際位置から聴取位置１０５までの距離が、実際位置のＨＲＴＦの決定で用いられた記憶位置から聴取位置１０５までの距離よりも長いほど、ゲインが小さくなるように、ＨＲＴＦを修正することができる。実際位置が記憶位置よりも聴取位置１０５から離れるほど音のレベルは減衰する。よって、制御部１１１が距離に応じてＨＲＴＦのゲインを修正することにより、実際位置に対応するＨＲＴＦを更に精度良く求めることができ、音響品質の劣化度合いの推定精度も更に向上する。
【００５６】
また、本実施形態では、制御部１１１は、実際位置から聴取位置１０５までの距離が、実際位置のＨＲＴＦの決定で用いられた記憶位置から聴取位置１０５までの距離よりも長いほど、位相が遅れるように、ＨＲＴＦを修正することができる。実際位置が記憶位置よりも聴取位置１０５から離れるほど伝達遅れが生じる。よって、制御部１１１が距離に応じてＨＲＴＦの位相を修正することにより、実際位置に対応するＨＲＴＦを更に精度良く求めることができ、音響品質の劣化度合いの推定精度も更に向上する。
【００５７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５８】
例えば、各部材、各手段、各ステップ等に含まれる機能等は論理的に矛盾しないように再配置可能であり、複数の手段やステップ等を１つに組み合わせたり、或いは分割したりすることが可能である。
【００５９】
上述の本発明の実施形態の説明においては、スピーカ１０３を含む再生装置が音響信号に対して信号処理を行わないとしたが、本発明はこの態様に限定されるものではない。例えば、図７のように、再生装置が、音響信号に対して信号処理を行い、スピーカ２０３−１〜２０３−５は、信号処理された音響信号、つまり出力信号を出力するとする。信号処理は、任意の既知の処理であり、例えば、レベル調整、位相差（遅延時間）調整、周波数特性調整等である。この場合、音響品質推定装置は、信号処理された音響信号である出力信号を取得することにより、上述の実施形態と同様にして、音響品質推定値を求めることができる。信号処理された音響信号の取得は、例えば、音響品質推定装置が、信号処理された音響信号が記憶された記録媒体を読み取ったり、再生装置から通信ケーブルを介して信号処理された音響信号を受信したりすることにより、実現できる。
【００６０】
また、信号処理自体は既知の処理であるため、図８のように、音響品質推定装置２０１の制御部２１１に、再生装置で行われる信号処理と同じ処理を行う信号処理部２２８を設けることができる。この場合、信号処理部２２８は、上述の実施形態と同様に信号処理される前の音響信号を取得し、この音響信号に対して信号処理を行うことにより、出力信号を生成できる。そして、音響品質推定装置２０１は、上述の実施形態と同様にして、出力信号とＨＲＴＦとに基づいて、音響品質推定値を算出することができる。以上より、音響品質推定装置２０１は、再生装置における信号処理を考慮して、スピーカ配置に因る音響品質劣化を推定できる。なお、図８の機能部２１３、２２１、２２３、２２５、２２７は、図２の対応する機能部１１３、１２１、１２３、１２５、１２７と同じ機能を有するものである。
【００６１】
また、上述の本発明の実施形態の説明においては、５．１チャンネル音響方式に適用されるマルチチャンネル音響再生システム１００が音響方式に対応する５個のスピーカ１０３−１〜１０３−５を有するとしたが、本発明はこの態様に限定されるものではない。例えば、図９のように、５．１チャンネル音響方式の５つの音響信号を３つのスピーカ３０３−１〜３０３−３で出力するとする。この場合、再生装置では、５つの音響信号を既知のチャンネル変換処理によりダウンミックスして、３つの出力信号を生成する。そのため、音響品質推定装置は、チャンネル変換処理された音響信号である出力信号を取得することにより、上述の実施形態と同様にして、音響品質推定値を求めることができる。チャンネル変換処理された音響信号の取得は、例えば、音響品質推定装置が、チャンネル変換処理された音響信号が記憶された記録媒体を読み取ったり、再生装置から通信ケーブルを介してチャンネル変換処理された音響信号を受信したりすることにより、実現できる。
【００６２】
また、チャンネル変換処理自体は既知の処理であるため、図１０のように、音響品質推定装置３０１の制御部３１１に、再生装置で行われるチャンネル変換処理と同じ処理を行うチャンネル変換処理部３２９を設けることができる。この場合、チャンネル変換処理部３２９は、上述の実施形態と同様にチャンネル変換処理される前の音響信号を取得し、この音響信号に対してチャンネル変換処理を行うことにより、出力信号を生成できる。そして、音響品質推定装置３０１は、上述の実施形態と同様にして、出力信号とＨＲＴＦとに基づいて、音響品質推定値を算出することができる。以上より、音響品質推定装置３０１は、再生装置におけるスピーカ数を考慮して、スピーカ配置に因る音響品質劣化を推定できる。特に、音響品質推定装置３０１は、場所的制限や費用的制限等により所望の数のスピーカを配置できない家庭内等で音響品質劣化を推定する場合に有効である。なお、図１０の機能部３１３、３２１、３２３、３２５、３２７は、図２の対応する機能部１１３、１２１、１２３、１２５、１２７と同じ機能を有するものである。また、スピーカ数が所望の数よりも多く、再生装置が音響信号をチャンネル変換処理としてアップミックスする必要がある場合も、チャンネル変換処理部３２９がアップミックスを行うことにより、音響品質推定装置３０１は、音響品質推定値を算出できる。
【産業上の利用可能性】
【００６３】
本発明に係る増幅器によれば、スピーカ配置に因る音響品質劣化を推定できるという有用性がある。
【符号の説明】
【００６４】
１００  マルチチャンネル音響再生システム
１０１  音響品質推定装置
１０３−１〜１０３−５  スピーカ
１０５  聴取位置
１０７  ユーザ
１１１  制御部
１１３  記憶部
１２１  ＨＲＴＦ決定部
１２３  両耳聴信号算出部
１２５  両耳聴変数値算出部
１２７  音響品質推定部
１３１  実際位置
１３３−１〜１３３−３  記憶位置
２２８  信号処理部
３２９  チャンネル変換処理部
ｄ１〜ｄ３  距離
【図１】
2014075753.tif 000004
【図２】
2014075753.tif 000005
【図３】
2014075753.tif 000006
【図４】
2014075753.tif 000007
【図５】
2014075753.tif 000008
【図６】
2014075753.tif 000009
【図７】
2014075753.tif 000010
【図８】
2014075753.tif 000011
【図９】
2014075753.tif 000012
【図１０】
2014075753.tif 000013